(57)【要約】      （修正有）【課題】有害物質の放出が抑制され、長期間効果を維持できる鉄イオン放出ブロックを提供する。【解決手段】鉄イオン放出ブロックは、板状に形成されたブロック本体１と、ブロック本体１の対向する２面に形成された被覆層と、厚さ方向に貫通する孔２とを備えている。ブロック本体１は、珪藻土、多孔質炭酸カルシウム粉末、炭粉のうち、一種又は二種以上と、鉄粒子及び／又は鉄粉末と、マンガン粉末との混合物を、でん粉糊又は海藻糊で板状に固めて形成する。被覆層は、鉄の溶射によって形成され、この被覆層と、鉄粒子又は鉄粉末から鉄イオンを持続的に放出する。【選択図】図１
0003158118.tif 000002
【実用新案登録請求の範囲】
【請求項１】
珪藻土、多孔質炭酸カルシウム粉末、炭粉のうち、一種又は二種以上と、鉄粒子及び／又は鉄粉末と、マンガン粉末との混合物と、でん粉糊又は海藻糊と成分として備えるブロック本体と、
前記ブロック本体の表面に鉄を溶射して厚さ０．１〜２．０mmの被覆層を形成したことを特徴とする鉄イオン放出ブロック。
【請求項２】
珪藻土、多孔質炭酸カルシウム粉末、炭粉のうち、一種又は二種以上と、鉄粒子及び／又は鉄粉末と、マグネシウム粒子との混合物と、でん粉糊又は海藻糊と成分として備えるブロック本体と、
前記ブロック本体の表面に鉄を溶射して厚さ０．１〜２．０mmの被覆層を形成したことを特徴とする鉄イオン放出ブロック。
【請求項３】
前記でん粉糊又は海藻糊は、バインダーとして用いられる請求項１又は２に記載のイオン放出ブロック。
【請求項４】
前記ブロック本体の形状は、板状である請求項１〜３のいずれか１に記載のイオン放出ブロック。
【請求項５】
前記ブロック本体の形状は、筒状であって、外側面に前記被覆層を備える請求項１〜３のいずれか１に記載のイオン放出ブロック。
【請求項６】
前記ブロック本体には、多数の孔が形成されている請求項１〜５のいずれか１に記載のイオン放出ブロック。
【考案の詳細な説明】
【技術分野】
【０００１】
本考案は、鉄イオンを海水や土中に放出する鉄イオン放出ブロックに関するものである。
【背景技術】
【０００２】
近年、日本近海において、昆布やワカメなどの藻類が減少する一方、サンゴモと呼ばれる白く硬い殻のような海草が、海底の岩の表面を覆いつくす、磯焼けと呼ばれる現象が発生している。この磯焼けの原因は、海中の鉄分不足であるとされている。
【０００３】
海中の鉄分は、森林の中でできる腐葉土中の腐植酸が、地中の二価鉄と結合して腐食酸鉄になり、森林を水源とする河川を通じて、大量に供給されていた。そして、この二価鉄を養分として、海藻類は、光合成や生殖細胞の一種である配偶子を生み出す配偶体を生成し、繁殖が可能となる。しかし、森林破壊やダム建設によって河川からの二価鉄の供給が阻害され、その結果して磯焼けを生じさせているのである。一方、陸地では、植物の成長促進剤として鉄イオン溶液、肥料用として酸化第一鉄などが用いられている。
【０００４】
このような磯焼けを防止し、海藻を蘇らせる方法として、従来では、以下のような技術が提案されている。
【先行技術文献】
【特許文献】
【０００５】
【特許文献１】特開２００９−４５００６号公報
【考案の概要】
【考案が解決しようとする課題】
【０００６】
上記従来技術は、製鉄の際に生成されるスラグを主成分とした固化体を海中に沈設し、スラグからイオンを放出せるものである。しかしながら、スラグは、製鉄時に生成される残滓であり、含有物質があきらではない。つまり、砒素などの有害物質等が含まれている可能性もあり、そのまま海中に沈設したり、地中に埋設することは好ましくない場合があるといった問題があった。さらに、スラグは、製鉄時の残滓であることから、十分な鉄イオンの放出がなされず、長時間持続的に効果を発揮できないといった問題があった。
【０００７】
本考案の目的は、有害物質の放出が抑制され、長期間効果を維持できる鉄イオン放出ブロックを提供することにある。
【課題を解決するための手段】
【０００８】
以上のような目的を達成する本考案は、以下の構成を備えるものである。
【０００９】
（１）珪藻土、多孔質炭酸カルシウム粉末、炭粉のうち、一種又は二種以上と、鉄粒子及び／又は鉄粉末と、マンガン粉末との混合物と、でん粉糊又は海藻糊と成分として備えるブロック本体と、
前記ブロック本体の表面に鉄を溶射して厚さ０．１〜２．０mmの被覆層を形成したことを特徴とする鉄イオン放出ブロック。
【００１０】
（２）珪藻土、多孔質炭酸カルシウム粉末、炭粉のうち、一種又は二種以上と、鉄粒子及び／又は鉄粉末と、マグネシウム粒子との混合物と、でん粉糊又は海藻糊と成分として備えるブロック本体と、
前記ブロック本体の表面に鉄を溶射して厚さ０．１〜２．０mmの被覆層を形成したことを特徴とする鉄イオン放出ブロック。
【００１１】
（３）前記でん粉糊又は海藻糊は、バインダーとして用いられる上記（１）又は（２）に記載のイオン放出ブロック。
【００１２】
（４）前記ブロック本体の形状は、板状である上記（１）〜（３）のいずれか１に記載のイオン放出ブロック。
【００１３】
（５）前記ブロック本体の形状は、筒状であって、外側面に前記被覆層を備える上記（１）〜（３）のいずれか１に記載のイオン放出ブロック。
【００１４】
（６）前記ブロック本体には、多数の孔が形成されている上記（１）〜（５）のいずれか１に記載のイオン放出ブロック。
【考案の効果】
【００１５】
請求項１に記載の鉄イオン放出ブロックは、被覆層から鉄イオンが放出される。また、被覆層は、厚さが０．１〜２．０mmとなっているので、鉄イオンの放出が続くと、層が薄くなり、下側のブロック本体が露出する。この露出したブロック本体からは、でん粉糊又は海藻糊からでん粉質や海藻エキス、マンガン粉末からマンガンイオン、鉄粒子及び／又は鉄粉末から鉄イオンがそれぞれ放出される。特に鉄イオンは、被覆層が消失した後も継続して放出されることとなり、長期間継続して鉄イオンが放出される。また、構成要素が明らかであるので、有害物質の放出が抑制される。
【００１６】
請求項２に記載の鉄イオン放出ブロックは、被覆層から鉄イオンが放出される。また、被覆層は、厚さが０．１〜２．０mmとなっているので、鉄イオンの放出が続くと、層が薄くなり、下側のブロック本体が露出する。この露出したブロック本体からは、でん粉糊又は海藻糊からでん粉質や海藻エキス、マグネシウム粒子からマグネシウムイオン、鉄粒子及び／又は鉄粉末から鉄イオンがそれぞれ放出される。特に鉄イオンは、被覆層が消失した後も継続して放出されることとなり、長期間継続して鉄イオンが放出される。また、構成要素が明らかであるので、有害物質の放出が抑制される。
【００１７】
請求項３に記載の鉄イオン放出ブロックは、でん粉糊又は海藻糊をバインダーとして用いることによって、ブロックの構成要素を簡素化することができる。
【００１８】
請求項４に記載の鉄イオン放出ブロックは、板状であるので、製造が容易であり、箱などの構造体の資材として利用することもできる。
【００１９】
請求項５に記載の鉄イオン放出ブロックは、筒状であって、外側面に被覆層が形成されているので、外側の被覆層から鉄イオンが放出され、内壁からブロック本体内の要素が放出される。また、筒状なので、表面積が大きく、放出量を増やすことができる。
【００２０】
請求項６に記載の鉄イオン放出ブロックは、多数の孔が形成されているので、表面積が大きくなり、
ブロック本体内の要素が放出量を、孔の数によって調整することができる。
【図面の簡単な説明】
【００２１】
【図１】鉄イオン放出ブロックを示す部分拡大正面図である。
【図２】鉄イオン放出ブロックを示す断面側面図である。
【図３】鉄イオン放出ブロックの他の構成例を示す全体斜視図である。
【図４】鉄イオン放出ブロックの他の構成例を示す正面断面図である。
【考案を実施するための形態】
【００２２】
以下、本考案の好適実施形態について、詳細に説明する。図１は鉄イオン放出ブロックを示す部分拡大正面図、図２は、同じく断面側面図である。図１及び図２に示されている鉄イオン放出ブロック１０は、板状に形成されたブロック本体１と、ブロック本体１の対向する２面に形成された被覆層５と、厚さ方向に貫通する孔２とを備えている。孔２は、縦横に等間隔で配置され、格子の交差点に相当する位置に各々設けられている。
【００２３】
ブロック本体１は、珪藻土、多孔質炭酸カルシウム粉末、炭粉のうち、一種又は二種以上と、鉄粒子及び／又は鉄粉末と、マンガン粉末との混合物と、でん粉糊又は海藻糊と成分として有している。例えば、ブロック本体１の例を示すと、珪藻土、鉄粒子、マンガン粉末を混合し、この混合物をでん粉糊で固めて、例えば板状のような所望の形状に形成されて作られる。
【００２４】
珪藻土の代わりに、多孔質炭酸カルシウム粉末又は炭粉を用いてもよく、或いは、珪藻土、多孔質炭酸カルシウム粉末、炭粉のうち二種を混合して用いてもよく、また、これら三種全てを混合して用いてもよい。
【００２５】
また、混合させられる鉄粒子の代わりに、鉄粒子よりも粒径の小さい鉄粉末を用いてもよく、又は、鉄粒子と鉄粉末を混合したものを、鉄粒子の代わりに用いてもよい。
【００２６】
でん粉糊の他に、海藻糊を用いることができる。さらに、でん粉や海藻類を成分として含むバインダーを用いることもできる。
【００２７】
以上のように構成されたブロック本体１の表裏面には、被覆層５が形成されている。この被覆層５は、鉄の溶射により形成され、厚さが０．１〜２．０ｍｍ程度に構成されている。この被覆層５は、孔２の内壁には形成されていない。この内壁から、ブロック本体１内のマンガンイオンなどが海中に溶出する。
【００２８】
以上のように構成された鉄イオン放出ブロックは、海中に沈設されて使用される。海中に沈設されることにより、被覆層５からは鉄イオンから海水中に溶出し、また、孔２の内壁からは、バインダー内の成分からマンガンイオンなどの成分が溶出する。バインダーとしてのでん粉糊や海藻糊は、海中のプランクトン等の餌となる。
【００２９】
以上説明したブロック本体１の形状は板形状に限らず、立方体や直方体形状や、球、円柱、円筒のような回転体形状などであってもよい。大きさは、特に限定されないが、体積が１００〜５００ｍｍ３ 程度であると好ましい。海水と接触する表面積が十分に取れ、イオンの溶出を十分に得ることができるからである。
【００３０】
また、本考案の鉄イオン放出ブロックを多数沈設する場合に、隣接するブロックの接触面積を少なくし、海水との接触面積を十分確保するために、表面が曲面、或いは表面に凹凸があることが好ましく、特に球形、円筒形であるとよく、成形の容易な円筒形であることが特に好ましい。図３及び図４に示されているように、円筒形である場合にも、図１に示されているブロックと同様に、孔２が形成され、被覆層は外側面にのみ形成され、内壁３には形成されていない構成とするとよい。孔２の内壁や内壁３からは、バインダー内の成分からマンガンイオンなどの成分が溶出する。
【００３１】
上記鉄イオン放出ブロックは、例えば、網袋等に入れて、又は円筒形状の場合には、筒に紐などを通して連結した上で、太いロープに巻きつけて海中に沈めて使用する。
【００３２】
以上説明した構成の他、マンガン粉末に代えて、マグネシウム粒子を用いることもできる。この場合には、土中に埋設し、或いは農業用水の貯水タンクや水耕栽培用水溶液タンク内に入れて使用する。
【符号の説明】
【００３３】
１    ブロック本体
２    孔
５    被覆層
【図１】
0003158118.tif 000003
【図２】
0003158118.tif 000004
【図３】
0003158118.tif 000005
【図４】
0003158118.tif 000006
【手続補正書】
【提出日】平成22年1月6日(2010.1.6)
【手続補正１】
【補正対象書類名】実用新案登録請求の範囲
【補正対象項目名】全文
【補正方法】変更
【補正の内容】
【実用新案登録請求の範囲】
【請求項１】
珪藻土、多孔質炭酸カルシウム粉末、炭粉のうち、一種又は二種以上と、鉄粒子及び／又は鉄粉末と、マンガン粉末との混合物と、でん粉糊又は海藻糊と成分として備えるブロック本体と、
前記ブロック本体の表面に鉄を溶射して厚さ０．１〜２．０mmの被覆層を形成したことを特徴とする鉄イオン放出ブロック。
【請求項２】
珪藻土、多孔質炭酸カルシウム粉末、炭粉のうち、一種又は二種以上と、鉄粒子及び／又は鉄粉末と、マグネシウム粒子との混合物と、でん粉糊又は海藻糊と成分として備えるブロック本体と、
前記ブロック本体の表面に鉄を溶射して厚さ０．１〜２．０mmの被覆層を形成したことを特徴とする鉄イオン放出ブロック。
【請求項３】
前記でん粉糊又は海藻糊は、バインダーとして用いられる請求項１又は２に記載の鉄イオン放出ブロック。
【請求項４】
前記ブロック本体の形状は、板状である請求項１〜３のいずれか１に記載の鉄イオン放出ブロック。
【請求項５】
前記ブロック本体の形状は、筒状であって、外側面に前記被覆層を備える請求項１〜３のいずれか１に記載の鉄イオン放出ブロック。
【請求項６】
前記ブロック本体には、多数の孔が形成されている請求項１〜５のいずれか１に記載の鉄イオン放出ブロック。
【手続補正２】
【補正対象書類名】明細書
【補正対象項目名】００１１
【補正方法】変更
【補正の内容】
【００１１】
（３）前記でん粉糊又は海藻糊は、バインダーとして用いられる上記（１）又は（２）に記載の鉄イオン放出ブロック。
【手続補正３】
【補正対象書類名】明細書
【補正対象項目名】００１２
【補正方法】変更
【補正の内容】
【００１２】
（４）前記ブロック本体の形状は、板状である上記（１）〜（３）のいずれか１に記載の鉄イオン放出ブロック。
【手続補正４】
【補正対象書類名】明細書
【補正対象項目名】００１３
【補正方法】変更
【補正の内容】
【００１３】
（５）前記ブロック本体の形状は、筒状であって、外側面に前記被覆層を備える上記（１）〜（３）のいずれか１に記載の鉄イオン放出ブロック。
【手続補正５】
【補正対象書類名】明細書
【補正対象項目名】００１４
【補正方法】変更
【補正の内容】
【００１４】
（６）前記ブロック本体には、多数の孔が形成されている上記（１）〜（５）のいずれか１に記載の鉄イオン放出ブロック。